(57)【要約】      （修正有）【課題】蓄光材を使用して、より長時間の蓄光による明るさの放出が可能となり、無電源下でも捕虫効果がより長く得られる光源装置を提供する。【解決手段】波長３００ｎｍ〜４００ｎｍの紫外線を発光する紫外線ＬＥＤ素子と波長４４０ｎｍ〜６６０ｎｍの可視光を発光するＬＥＤ素子を単数または複数個組み合わせた光源に、紫外線を透過し、蓄光材を含有させたポリカーボネート樹脂カバーを光源部に覆いかぶせたことを特徴とする。【選択図】図１
0003202377.tif 000002
【実用新案登録請求の範囲】
【請求項１】
紫外線ＬＥＤ素子（３００ｎｍ〜４００ｎｍ）と可視光ＬＥＤ素子（４４０ｎｍ〜６６０ｎｍ）とが単数または複数個組み合わせた光源部に、紫外線を透過し、蓄光材を含有させたポリカーボネート樹脂カバーを光源部に覆いかぶせたことを特徴とする主に誘虫用途の光源装置。
【請求項２】
前記光源部に電源部を商流電源または電池駆動の電源部にスイッチを設け意図的にＯＮ・ＯＦＦさせて暗部の場合でも明るさを確保することで、捕虫器としてまたは補助照明具として使用可能となるような請求項１に記載の光源装置
【請求項３】
前記光源部は、電球型光源部、ライン型光源部または面発光型光源部で、これに紫外線を通すことが出来かつ蓄光剤を含有させたポリカーボネートをカバーとして覆う事を特徴とする請求項１に記載の光源装置。
【考案の詳細な説明】
【技術分野】
【０００１】本発明は光源装置に関し、特にＬＥＤ（Ｌｉｇｈｔ  Ｅｍｉｔｔｉｎｇ  Ｄｉｏｄｅ：発光ダイオード）素子を光源に使用し紫外線を発光する紫外線ＬＥＤと可視光を発光する可視光ＬＥＤとを組み合わせた光源部に、主として紫外線で蓄光できる蓄光材料を、紫外線を透過することが出来るポリカーボネート材に練りこみこの材料を光源部のカバーとして覆い被されたことを特徴とする紫外線光源装置。
【背景技術】
【０００２】現在、捕虫器等に用いられている蓄光材料は蓄光剤を紙またはゴムシート等に塗布したものが使用され、紫外線ランプの照射で蓄光する方式がとられている。紫外線ランプを消灯しても蓄光剤で明るさを確保することが出来るが、長時間の明るさ保持は難しいなど改善が必要とされていた。【０００３】従来の方式は光が蓄光剤に照射される部分は表面のみのため、蓄光材料の中まで到達することは出来なかった。また、一般的なポリカーボネト材は紫外線を透過しないので蓄光材を含有させたとしても可視光のみの蓄光では、明るさが不十分である。
【先行技術文献】
【特許文献】
【０００４】
【特許文献１】特許公開  ２００２−０２７８８９
【考案の概要】
【考案が解決しようとする課題】
【０００５】本発明は蓄光する素材の特性を最大限に利用して、紫外線から励起される光エネルギーを十分蓄光させ、長時間光を射出させることで、捕虫効果を持続させかつ明るさを確保することが出来る光源装置を提供することを目的としている。
【課題を解決するための手段】
【０００６】本発明が提供する光源装置は、紫外線を発光するＬＥＤ素子（紫外線波長３００ｎｍ〜４００ｎｍ）と可視光を発光するＬＥＤ素子（４４０ｎｍ〜６６０ｎｍ）を単数または複数または個別に組み合わせたＬＥＤ素子を実装した発光部と、この発光部を紫外線を透過させることが出来かつ蓄光剤を含有したポリカーボネート樹脂製のカバーで覆い、紫外線を透過させる一方、含有する蓄光剤に当て、発光エネルギーを蓄積させることを特徴とする主に誘虫用途の光源装置。
【考案の効果】
【０００７】本発明によれば、蓄光材料を紫外線透過型ポリカーボネート樹脂材に練りこむことで、従来の塗布材を主体としたシートまたは印刷とは異なりより長時間の蓄光による発光時間、発光光量が得られる。これは、従来のものが、反射を主体としているが、本発明は透過を主体としているため、蓄光材の厚み分（蓄光エネルギー量）が増えるためである。また光源部に紫外線ＬＥＤ素子を具備することで、短時間で光の蓄積が可能となる。このことにより、電源が得られない場所でも電池で駆動するなど、あるいは全く暗黒の部屋においても蓄光効果で誘虫の持続、明るさの確保などの大きな効果が得られる。【０００８】また、停電など電力を失った場合に蓄光時間が長く得られるため、補助照明または避難誘導などの表示を用いることで、安全・安心への取り組みの補助用途にも使用できる。特に誘虫灯は高いところに設置される場合が多いので、不特定多数が介在する店舗・施設に大きな効果・貢献が期待出来る。
【図面の簡単な説明】
【０００９】
【図１】本発明による光源装置の一例の構成図を示す
【図２】本光源部のポリカーボネート・カバーに含まれる蓄光剤とＬＥＤＵＶの概念図
【図３】本光源部のＬＥＤ点灯回路にスイッチを設けた概念図
【考案を実施するための形態】
【００１０】以下、本発明の具体的な実施の形態について、実施例の図面を参照にして詳細に説明する。
【実施例】
【００１１】図１において、本発明による光源装置の構成を説明する概略図である。図１において、光源部ＬＷはプリント基板ＷＢ上に紫外線発光ダイオードＬＥＤＵＶと可視光発光ダイオードＬＥＤＷが交互に配列されている。  この時可視光発光ダイオードＬＥＤＷは赤色発光ダイオードと緑色発光ダイオード、青色発光ダイオードを組み合わせた可視光発光ダイオード光源でも良い。光源装置はこの光源部ＬＷに覆いかぶせるような蓄光材料を練りこんだ紫外線透過型ポリカーボネートカバーＰＣとＬＥＤ素子の熱を放熱するアルミ棒ＡＬで構成されている。【００１２】図２は図１の断面図である。紫外線発光ダイオードＬＥＤＵＶから、光を蓄光出来る材料ＰＨを練りこんだ紫外線透過型ポリカーボネートカバーＰＣを用意しこれを光源部ＬＷにかぶせる。ＬＥＤＵＶから照射され紫外線光ＲＡＹはポリカーボネート樹脂のカバーを貫通して外部に照射されるが、この時に一部は蓄光剤ＰＨに当たり光エネルギーが蓄積される。これは従来方式の反射とは異なり厚みがある分、蓄積エネルギーは大きくなる。なお、誘虫目的の用途上、ポリカーボネート樹脂材ＰＣは紫外線を透過し、よく拡散できる材料を用いている。【００１３】図３は、ＬＥＤ点灯回路にスイッチを設けた概念図である。スイッチＳＷを設けることで、意図的に紫外線ＬＥＤ素子をＯＮ／ＯＦＦさせることで少ない電力で長時間の蓄光と蓄光剤ＰＨによる発光が可能となり、誘虫効果の持続あるいは、明るさの確保も容易になる。ＰＷは電源部である。この電源は商用電源でも電池でも良い。
【産業上の利用可能性】
【００１４】この光源装置を利用すれば、電力事情が悪い場所でも、蓄光により捕虫効果が期待出来る。あるいは、明かりがない場所でも例えば、電池駆動によりＯＮ・ＯＦＦすることで、長時間の照度が得られるなど、利点がある。また、停電など不測の場合においても、避難時の補助照明にも使用できる。また屋根裏など電源装置がない場所においても利用でき、屋内においても微弱な光環境の中でも誘虫効果が得られる。
【符号の説明】
【００１５】ＰＣ・・・ポリカーボネートカバー、ＷＢ・・・プリント基板、ＡＬ・・・アルミニウム棒、ＬＷ・・・光源部、ＬＥＤＵＶ・・・紫外線発光ダイオード、ＬＥＤＷ・・・可視光発光ダイオード、ＰＨ・・・蓄光剤、ＲＡＹ・・・紫外線光線、ＳＷ・・・電源スイッチ、ＰＷ・・・電源
【図１】
0003202377.tif 000003
【図２】
0003202377.tif 000004
【図３】
0003202377.tif 000005
【手続補正書】
【提出日】平成27年11月4日(2015.11.4)
【手続補正１】
【補正対象書類名】実用新案登録請求の範囲
【補正対象項目名】全文
【補正方法】変更
【補正の内容】
【実用新案登録請求の範囲】
【請求項１】
波長３００ｎｍ〜４００ｎｍの紫外線を発光する紫外線ＬＥＤ素子と波長４４０ｎｍ〜６６０ｎｍの可視光を発光するＬＥＤ素子が単数または複数個組み合わせた光源に、紫外線を透過し、蓄光材を含有させたポリカーボネート樹脂カバーを光源部に覆いかぶせたことを特徴とする主に誘虫用途の光源装置。
【請求項２】
前記光源部に、商用電源または電池駆動の電源部と、スイッチとを設け、意図的に前記光源部をＯＮ・ＯＦＦさせて暗部の場合でも明るさ確保することで、捕虫器としてまたは補助照明用具として使用可能となる請求項１に記載の光源装置。
【請求項３】
前記光源部は、電球型光源部、ライン型光源部または面発光型光源部で、これに紫外線を通すことが出来かつ蓄光材を含有させたポリカーボネートをカバーとして覆う事を特徴とする請求項１に記載の光源装置。